(57)【要約】本発明は、回路構造の電流消費依存型クロック供給用の周波数制御回路に関する。周波数制御回路は、回路構造（１）の瞬間電流消費を測定する電流測定装置（２）と、回路構造（１）のクロック入力に接続され得る制御可能なクロック供給回路（４）と、ならびに測定された電流消費に基づいてクロック供給回路（４）を駆動する制御装置（３）とを有する。回路構造（１）の電流消費の増大はクロック供給回路（４）の出力（６）におけるクロック周波数の低減に影響を及ぼす。この回路は、最大許容電流消費を超えず、かつ回路の最大電力が最大クロック周波数によって可能になるということを保証する。
2004535705.tif 000002
【特許請求の範囲】
【請求項１】
回路構造の電流消費依存型クロック供給用の周波数制御回路であって、
該回路構造（１）の瞬間電流消費を測定する電流測定装置（２）と、
該回路構造（１）のクロック入力（１１）に接続され得る制御可能なクロック供給回路（４）と、
該測定された電流消費に基づいて、該クロック供給回路（４）を駆動する制御装置であって、該回路構造（１）の電流消費の増大が該クロック供給回路の出力（６）における該クロック周波数の低減に影響を及ぼす、制御装置（３）と
を有する周波数制御回路。
【請求項２】
前記クロック供給回路（４）がクロック発生器（７）を有し、個々のクロックパルスが前記クロック周波数を低減するためにフィルタ除去され得ることを特徴とする、請求項１に記載の周波数制御回路。
【請求項３】
前記電流測定装置（２）によって測定された電流が、比較手段によって規定できる閾値とともに準備されることを特徴とする、請求項１または２に記載の周波数制御回路。
【発明の詳細な説明】
【背景技術】
【０００１】
本発明は回路構造用の周波数制御回路に関する。
【０００２】
回路構造において、電流消費はしばしばどの機能が現在回路構造によって実行されているかに依存する。例えば、デジタル回路においては、単純な加算よりも乗算の方が大幅に多い電流を必要とする。高い電流消費はデジタル回路の加熱という結果を招き、それゆえ特定の機能を遂行する場合に回路構造が熱くなりすぎないことを保証するために注意を払わなければならないということがここで考慮される必要がある。さらに、電流消費は、回路構造が作動するクロック周波数に比例する。クロック周波数が高ければ高いほど、もちろん電流消費が高くなる。
【０００３】
それゆえ、回路構造の過剰な加熱を避けるために、最も高い電流消費をともなう回路構造の機能を決定し、そしてこれらの機能が遂行されている場合に、電流消費が許容最大値を超過しない周波数を突き止めることが公知である。このようにして、決定された周波数は、回路構造の最大作動周波数として特定される。しかしながら、回路構造の他の機能の場合には、処理の際に最大許容電流消費を超えることなく、より高い周波数ならびに全体的によりよい電力動作が可能である。
【発明の開示】
【課題を解決するための手段】
【０００４】
従って、本発明の目的は、可能な最大の周波数を利用することによって、回路構造が処理の際に許容できないほど加熱されることなく、回路構造の可能な最大の電力を可能にする周波数制御回路を規定することである。本発明によると、この目的は、回路構造の瞬間電流消費を測定する電流測定装置と、回路構造のクロック入力に接続され得る制御可能なクロック供給回路と、測定された電流消費に基づいてクロック供給回路を駆動する制御装置とを有する、回路構造の電流消費依存型クロック供給用の周波数制御回路によって達成され、回路構造の電流消費の増大はクロック供給回路の出力におけるクロック周波数の低減に影響を及ぼす。
【０００５】
回路はこのようにして、瞬間電流消費を測定し、後者に基づいて回路構造に供給されるクロック信号の周波数を制御する。これは回路構造が常に、電流消費のための許容最大値を考慮に入れた可能な最大電力で作動するということを保証する。このようにして、可能な最大の電力は、過剰な加熱によって回路構造が危険にさらされることなしに、常に利用可能である。
【０００６】
クロック供給回路の有用な改良点において、後者は一定の周波数でクロック信号を提供するクロック発生器を有する。パルスフィルタはクロック発生器に接続されており、パルスフィルタが制御装置によって駆動され得る。回路構造に出力されるクロック周波数を低減するために、パルスフィルタは、クロック発生器によって利用できるようにさせたクロック信号からの個々のパルスをフィルタ除去するか、または抑止する。
【０００７】
本発明は、例示的な実施形態を用いて以下により詳細に説明されている。
【発明を実施するための最良の形態】
【０００８】
図１は、本発明による周波数制御回路を図示するブロック図である。回路構造１は、電圧供給入力１０およびクロック入力１１を有する。電圧供給入力１０は、作動電圧ＵＢに接続されている。回路構造１が要する電流Ｉは、電流測定装置２によって測定される。制御装置３は、電流測定装置２の測定結果をクロック供給回路４用の制御信号へと変換する。そのため制御装置は、クロック供給回路４の制御入力５に接続される。次に、クロック供給回路のクロック出力６は、回路構造１のクロック入力１１に接続されている。
【０００９】
電流の需要が高い計算演算が回路構造１において遂行される場合、このことは電流測定装置２によって検出される。このことにより、最大許容電流を超えることになる場合、制御装置３は回路構造１が利用できるようにされたクロック周波数が低減されるようにクロック供給回路４を駆動する。回路構造１が作動するクロック周波数の低減によって、測定装置２によって検出される回路構造１の電流消費も減少する。このため、クロック回路によって供給されたクロック周波数は再び増大され、可能な最大のクロック周波数がいつでも利用できるようにされる。
【００１０】
クロック供給回路のより詳細な図は、図２に図示されている。それによると、クロック供給回路は、一定の最大内部周波数を発生するクロック発生器７を有する。さらに、クロック供給回路は、制御入力５およびクロック出力６に接続されたパルスフィルタ８を有する。クロック周波数を低減するために、図１への参照とともに記載したように、クロック発生器７によって発生されたクロック信号の個々のパルスは抑制され、それが全体的にクロック周波数の低減につながる。
【図面の簡単な説明】
【００１１】
【図１】図１は、本発明による周波数制御回路を示すブロック図である。
【図２】図２は、クロック供給回路のより詳細な図を示す。
【符号の説明】
【００１２】
１  回路構造
２  電流測定装置
３  制御装置
４  クロック供給回路
５  制御入力
６  クロック信号出力
７  クロック発生器
８  パルスフィルタ
１０  電圧供給入力
１１  クロック入力
【国際公開パンフレット】
2004535705.tif 000003
2004535705.tif 000004
2004535705.tif 000005
2004535705.tif 000006
2004535705.tif 000007
2004535705.tif 000008
2004535705.tif 000009
2004535705.tif 000010
2004535705.tif 000011
【国際公開パンフレット（コレクトバージョン）】
2004535705.tif 000012
2004535705.tif 000013
【手続補正書】
【提出日】平成15年6月11日(2003.6.11)
【手続補正１】
【補正対象書類名】特許請求の範囲
【補正対象項目名】全文
【補正方法】変更
【補正の内容】
【特許請求の範囲】
【請求項１】
回路構造の電流消費依存型クロック供給用の周波数制御回路であって、
該回路構造（１）の瞬間電流消費を測定する電流測定装置（２）と、
クロック発生器（７）を有し、かつ、該回路構造（１）のクロック入力（１１）に接続され得る制御可能なクロック供給回路（４）と、
該測定された電流消費に基づいて、該クロック供給回路（４）を駆動する制御装置であって、該回路構造（１）の電流消費の増大が該クロック供給回路の出力（６）における該クロック周波数を低減するために、該クロック発生器（７）から発生したクロック信号の個々のクロックパルスのフィルタ除去を引き起こす、制御装置（３）と
を有する周波数制御回路。
【請求項２】
前記電流測定装置（２）によって測定された電流が、比較手段によって規定できる閾値と比較されることを特徴とする、請求項１に記載の周波数制御回路。
【国際調査報告】
2004535705.tif 000014
2004535705.tif 000015
2004535705.tif 000016
2004535705.tif 000017
2004535705.tif 000018
2004535705.tif 000019